(57)【要約】【課題】電力供給に応じた運転を行うことが可能な冷却貯蔵庫を提供する。【解決手段】外部から電力の供給を受ける冷却貯蔵庫１０は、蓄冷剤室２４に収納された蓄冷剤３０を冷却装置によって冷却状態としつつ蓄冷剤室２４の冷気を送出して貯蔵室３３に貯蔵された貯蔵物を冷却する冷却運転を行う冷却運転モードと、冷却装置は停止状態とし、蓄冷剤室２４の冷気を貯蔵室３３に送出して貯蔵物を冷却する蓄冷剤運転を行う蓄冷剤運転モードとを切り替える蓄冷剤冷却スイッチ４５及び制御部３９Ａを備える。【選択図】図８
2015098971.tif 000002
【特許請求の範囲】
【請求項１】
外部から電力の供給を受ける冷却貯蔵庫であって、
冷気を発生する冷却装置と、
蓄冷剤が収納され前記冷却装置からの冷気が導入される蓄冷剤室と、
前記蓄冷剤室とは異なる位置に設けられ、冷却される貯蔵物が貯蔵される貯蔵室と、
前記蓄冷剤室の冷気を前記貯蔵室に送出する送出手段と、
前記蓄冷剤室に収納された蓄冷剤を前記冷却装置によって冷却状態としつつ前記蓄冷剤室の冷気を送出して前記貯蔵室に貯蔵された前記貯蔵物を冷却する冷却運転を行う冷却運転モードと、前記冷却装置は停止状態とし、前記蓄冷剤室の冷気を前記貯蔵室に送出して前記貯蔵物を冷却する蓄冷剤運転を行う蓄冷剤運転モードとを切り替える切替手段と、を備える冷却貯蔵庫。
【請求項２】
前記切替手段による前記冷却運転モードと前記蓄冷剤運転モードの切替は、ユーザの操作部への操作によって行われる請求項１に記載の冷却貯蔵庫。
【請求項３】
前記冷却装置に関連して動作する冷却関連装置を備え、
前記蓄冷剤運転モードのときに前記冷却関連装置が動作するように制御する制御手段を備える請求項１又は請求項２に記載の冷却貯蔵庫。
【請求項４】
前記蓄冷剤による冷却の終了を報知する報知手段を備える請求項１ないし請求項３のいずれか一項に記載の冷却貯蔵庫。
【請求項５】
前記蓄冷剤による冷却の終了を検出するための検出手段を備え、
前記切替手段は、前記検出手段からの検知結果に応じて前記蓄冷剤運転モードを前記冷却運転モードに切り替える請求項１ないし請求項４のいずれか一項に記載の冷却貯蔵庫。
【請求項６】
前記冷却運転モードにおける冷却運転では、前記蓄冷剤を凍結させる蓄冷剤凍結運転と前記蓄冷剤を解凍させない温度で保冷する蓄冷剤保冷運転を行うものであり、前記蓄冷剤保冷運転では、前記蓄冷剤室の設定温度が前記蓄冷剤凍結運転時の設定温度よりも高く、前記蓄冷剤の解凍温度よりも低い温度に設定される請求項１ないし請求項５のいずれか一項に記載の冷却貯蔵庫。
【請求項７】
前記冷却装置による冷気を前記蓄冷剤室に送出する蓄冷剤室冷却ファンと、
周囲温度を検知する周囲温度検知手段とを備え、
前記周囲温度検知手段が検知した周囲温度に応じて前記蓄冷剤室冷却ファンの回転数を制御する回転数制御手段を備えている請求項１ないし請求項６のいずれか一項に記載の冷却貯蔵庫。
【請求項８】
除霜ヒータと、前記除霜ヒータの温度を検知する除霜温度検知手段と、を備え、前記冷却運転モードにおける冷却運転では、前記蓄冷剤を凍結させる蓄冷剤凍結運転と前記蓄冷剤を解凍させない温度で保冷する蓄冷剤保冷運転を行うものであり、
前記除霜温度検知手段が検知した温度が所定温度以下であるときには、霜取り運転を行った後に前記蓄冷剤凍結運転を行い、前記除霜温度検知手段が検知した温度が所定温度以上であるときには、前記霜取り運転を行わずに前記蓄冷剤凍結運転を行う請求項１ないし請求項７のいずれか一項に記載の冷却貯蔵庫。
【請求項９】
除霜ヒータと、ユーザの操作により除霜を開始する操作部を備え、前記冷却運転モードにおける冷却運転では、前記蓄冷剤を凍結させる蓄冷剤凍結運転と前記蓄冷剤を解凍させない温度で保冷する蓄冷剤保冷運転を行うものであり、
前記蓄冷剤凍結運転では、前記操作部の前記除霜を開始する操作を無効とし、前記蓄冷剤保冷運転では、前記操作部の前記除霜を開始する操作を有効とする請求項１ないし請求項８のいずれか一項に記載の冷却貯蔵庫。
【請求項１０】
除霜ヒータと、
前記除霜ヒータを駆動させるまでの時間を計測するタイマと、
前記貯蔵室の温度を検知する貯蔵室温度検知手段と、
前記除霜ヒータの駆動を制御するヒータ制御手段と、を備え、
前記ヒータ制御手段は、前記タイマが計測した時間が所定時間以上であり、かつ、前記貯蔵室温度検知手段で検知した温度が所定の設定温度以下であるときに前記除霜ヒータを駆動するように制御する請求項１ないし請求項９のいずれか一項に記載の冷却貯蔵庫。
【発明の詳細な説明】
【技術分野】
【０００１】
本発明は、冷却貯蔵庫に関する。
【背景技術】
【０００２】
蓄冷剤が収容される蓄冷剤室と冷却対象となる貯蔵物が収容される貯蔵室とを備えた冷却貯蔵庫が知られている。この種のものは、冷凍ユニットの動作と停止とを短い間隔で繰り返し行い、冷凍ユニットの冷気を蓄冷剤室及び貯蔵室に送出するようになっている。
【０００３】
特許文献１の蓄冷型保冷庫は、蓄冷剤の温度を温度検知部で検知しており、蓄冷剤の温度が設定温度以上のときは、冷凍ユニットのコンプレッサを動作させて蓄冷剤を冷却し、蓄冷剤の温度が設定温度以下のときには、コンプレッサを停止させ、蓄冷剤による冷気で保冷室を冷却するようになっている。
【先行技術文献】
【特許文献】
【０００４】
【特許文献１】特開平１−３１８８７３号公報
【発明の概要】
【発明が解決しようとする課題】
【０００５】
ところで、特許文献１の構成では、蓄冷剤の温度に応じてコンプレッサの動作及び停止を繰り返しているが、例えば、電力需要のピークに、冷凍ユニットを停止させて蓄冷剤の冷気で貯蔵物の冷却を行ったり、決まった時間に停電が発生する場合に停電時間に合わせて冷凍ユニットを停止させて蓄冷剤の冷気で貯蔵物の冷却を行うような外部からの電力供給に応じた運転ができないという問題があった。
【０００６】
本発明は上記のような事情に基づいて完成されたものであって、外部からの電力供給に応じた運転を行うことが可能な冷却貯蔵庫を提供することを目的とする。
【課題を解決するための手段】
【０００７】
本発明は、外部から電力の供給を受ける冷却貯蔵庫であって、冷気を発生する冷却装置と、蓄冷剤が収納され前記冷却装置からの冷気が導入される蓄冷剤室と、前記蓄冷剤室とは異なる位置に設けられ、冷却される貯蔵物が貯蔵される貯蔵室と、前記蓄冷剤室の冷気を前記貯蔵室に送出する送出手段と、前記蓄冷剤室に収納された蓄冷剤を前記冷却装置によって冷却状態としつつ前記蓄冷剤室の冷気を送出して前記貯蔵室に貯蔵された前記貯蔵物を冷却する冷却運転を行う冷却運転モードと、前記冷却装置は停止状態とし、前記蓄冷剤室の冷気を前記貯蔵室に送出して前記貯蔵物を冷却する蓄冷剤運転を行う蓄冷剤運転モードとを切り替える切替手段と、を備える。
【０００８】
本構成によれば、冷却運転モードと蓄冷剤運転モードとを切り替える切替手段を備えているため、電力需要のピーク時に蓄冷剤運転モードとして電力需要のピーク時の消費電力を低減させることができる。
【０００９】
上記構成の実施態様として以下の態様が好ましい。
・前記切替手段による前記冷却運転モードと前記蓄冷剤運転モードの切替は、ユーザの操作部への操作によって行われる。
このようにすれば、冷却貯蔵庫側で検知できないタイミングであってもユーザの操作で冷却運転モードと蓄冷剤運転モードを切り替えることができる。
【００１０】
・前記冷却装置に関連して動作する冷却関連装置を備え、前記蓄冷剤運転モードのときに前記冷却関連装置が動作するように制御する制御手段を備える。
このようにすれば、蓄冷剤運転モードの場合も冷却関連装置を動作させることができ、ユーザは、通常の冷却運転時と同様の取り扱いを行うことができる。
具体的には、冷却関連装置としての表示部を動作させることで、貯蔵室の温度表示、運転状態の表示等を行うことができ、また庫内灯を点灯させることにより、庫内灯が点灯しないことによる作業性の低下を防止したり、さらに、ドレン蒸発装置を機能させて、ドレンの溢れを防止する等が可能となる。
【００１１】
・前記蓄冷剤による冷却の終了を報知する報知手段を備える。
・前記蓄冷剤による冷却の終了を検出するための検出手段を備え、前記切替手段は、前記検出手段からの検知結果に応じて前記蓄冷剤運転モードを前記冷却運転モードに切り替える。
【００１２】
・前記冷却運転モードにおける冷却運転では、前記蓄冷剤を凍結させる蓄冷剤凍結運転と前記蓄冷剤を解凍させない温度で保冷する蓄冷剤保冷運転を行うものであり、前記蓄冷剤保冷運転では、前記蓄冷剤室の設定温度が前記蓄冷剤凍結運転時の設定温度よりも高く、前記蓄冷剤の解凍温度よりも低い温度に設定される。
・前記冷却装置による冷気を前記蓄冷剤室に送出する蓄冷剤室冷却ファンと、周囲温度を検知する周囲温度検知手段とを備え、前記周囲温度検知手段が検知した周囲温度に応じて前記蓄冷剤室冷却ファンの回転数を制御する回転数制御手段を備えている。
【００１３】
・除霜ヒータと、前記除霜ヒータの温度を検知する除霜温度検知手段と、を備え、前記冷却運転モードにおける冷却運転では、前記蓄冷剤を凍結させる蓄冷剤凍結運転と前記蓄冷剤を解凍させない温度で保冷する蓄冷剤保冷運転を行うものであり、前記除霜温度検知手段が検知した温度が所定温度以上であるときに前記蓄冷剤凍結運転を行う。
・除霜ヒータと、ユーザの操作により除霜を開始する操作部を備え、前記冷却運転モードにおける冷却運転では、前記蓄冷剤を凍結させる蓄冷剤凍結運転と前記蓄冷剤を解凍させない温度で保冷する蓄冷剤保冷運転を行うものであり、前記蓄冷剤凍結運転では、前記操作部の前記除霜を開始する操作を無効とし、前記蓄冷剤保冷運転では、前記操作部の前記除霜を開始する操作を有効とする。
【００１４】
・除霜ヒータと、前記除霜ヒータを駆動させるまでの時間を計測するタイマと、前記貯蔵室の温度を検知する貯蔵室温度検知手段と、前記除霜ヒータの駆動を制御するヒータ制御手段と、を備え、前記ヒータ制御手段は、前記タイマが計測した時間が所定時間以上であり、かつ、前記貯蔵室温度検知手段で検知した温度が所定の設定温度以下であるときに前記除霜ヒータを駆動するように制御する。
このようにすれば、タイマの計測時間が所定時間を経ていれば、蓄冷剤すなわち蓄冷剤室が十分に冷えているから、除霜運転中も冷えた冷気を貯蔵室に自然対流による冷気の落下によって供給でき、また、除霜の開始時における貯蔵室の温度も元々低く留められているから、除霜運転中の貯蔵室の温度上昇が抑制され、結果貯蔵物の劣化等が抑制できる。
【発明の効果】
【００１５】
本発明によれば、冷却貯蔵庫について電力供給に応じた運転を行うことが可能となる。
【図面の簡単な説明】
【００１６】
【図１】実施形態１の冷却貯蔵庫を示す正面図
【図２】図１のＡ−Ａ断面図
【図３】図１のＢ−Ｂ断面図
【図４】操作部を示す正面図
【図５】冷却貯蔵庫の電気的構成を示すラダー回路図
【図６】制御部の入力側と出力側の電気的接続を示す図
【図７】制御部の処理を示すフローチャート
【図８】冷却貯蔵庫の構成部品の動作を示すタイミングチャート
【図９】実施形態２の制御部の処理を示すフローチャート
【図１０】冷却貯蔵庫の構成部品の動作を示すタイミングチャート
【図１１】実施形態３の制御部の処理を示すフローチャート
【図１２】冷却貯蔵庫の構成部品の動作を示すタイミングチャート
【図１３】実施形態４の制御部の処理を示すフローチャート
【図１４】冷却貯蔵庫の構成部品の動作を示すタイミングチャート
【図１５】実施形態５の制御部の処理を示すフローチャート
【図１６】冷却貯蔵庫の構成部品の動作を示すタイミングチャート
【図１７】実施形態６の冷却貯蔵庫の構成部品の動作を示すタイミングチャート
【図１８】実施形態７の制御部の処理を示すフローチャート
【図１９】冷却貯蔵庫の構成部品の動作を示すタイミングチャート
【発明を実施するための形態】
【００１７】
＜実施形態１＞
以下、実施形態１を図１ないし図８を参照しつつ説明する。以下では、図２の左方を前方、右方を後方として説明する。
冷却貯蔵庫１０は、縦長の箱形をなし、図２に示すように、冷却装置等からなる機械室１１と、蓄冷剤３０が収容される蓄冷剤室２４と、冷却される貯蔵物が収容される貯蔵室３３とを備える。
【００１８】
機械室１１は、冷却貯蔵庫１０の上部に設けられており、冷凍ユニット１２と、冷却器１６と、コントロールボックス３８と、電装箱４６とを備えている。冷凍ユニット１２は、圧縮機１３と凝縮器１４と凝縮器ファン１５とを有する。圧縮機１３と凝縮器１４と冷却器１６とは、冷媒配管により循環接続され、周知の冷凍サイクルを構成している。圧縮機１３と凝縮器１４と凝縮器ファン１５と冷却器１６とは、冷気を発生する冷却装置とされる。機械室１１の下部には、冷却ダクト１７が設けられている。
【００１９】
冷却ダクト１７は、ダクトパネル１８と、冷却器１６と、蓄冷剤室冷却ファン２１とを有する。ダクトパネル１８は、ＡＢＳ樹脂等の成形品からなり、蓄冷剤室２４と機械室１１の間を仕切っており、水平方向に対して傾斜した方向に延びて固定されており、蓄冷剤室２４内の空気を通す吸込口１９と、冷気を蓄冷剤室２４に吐き出す吐出口２０とを有する。蓄冷剤室冷却ファン２１は、ダクトパネル１８における吸込口１９の周囲に固定されており、蓄冷剤室冷却ファン２１によって吸込口１９から吸引された空気が冷却器１６で冷却され、吐出口２０から蓄冷剤室２４に吐出される。
【００２０】
基本的な冷却運転は、冷却装置が駆動されることで行われ、空気が冷却器１６を通過する間に熱交換により冷気が生成され、この冷気が蓄冷剤室冷却ファン２１から蓄冷剤室２４に吹き出されて循環流が生じ、蓄冷剤３０を冷却（凍結）させるとともに、蓄冷剤室２４の冷気が貯蔵室冷却ファン２８により、下方の貯蔵室３３に与えられる。本実施形態では、蓄冷剤３０を凍結するために、例えば蓄冷剤室２４内が−１２℃程度まで冷却される。
このように、蓄冷剤室２４内温度を低温域まで下げるためには、冷却器１６は相応の低温状態に維持される必要があり、着霜が生じやすいと言える。そのため適宜に霜取運転が行われ、冷却器１６の下面に、シーズヒータからなる除霜ヒータ２２が装着されている。
【００２１】
蓄冷剤室２４は、機械室１１の下方に設けられてその内部に蓄冷剤３０が収容されるものであり、蓄冷剤室２４と貯蔵室３３の間は、ウレタン等からなる断熱壁２５で仕切られている。断熱壁２５は、吸込口２６と吹出口２７を有するとともに、吹出口２７側に貯蔵室冷却ファン２８（「送出手段」の一例）が固定されている。
蓄冷剤３０は、低温状態とされて冷気を発生するものであり、蓄冷剤室２４内において蓄冷剤用棚網３１に載置され、上下左右に間隔を空けて複数収容されている。蓄冷剤３０は、ポリエチレン等の合成樹脂製のハードケース内にゲル化剤が充填された公知のものであって、全体としては平面長方形の厚板形状をなしている。
【００２２】
蓄冷剤室２４内の冷気は、貯蔵室冷却ファン２８が回転することで、吹出口２７から貯蔵室３３内の背面ダクト２９を通って貯蔵室３３内に吐き出され、吹出口２７とは前後方向の反対側に設けられた吸込口２６から蓄冷剤室２４に戻される。
貯蔵室３３は、図示しない貯蔵物が貯蔵されるものであり、蓄冷剤室２４の下方に設けられており、前面開口の縦長の断熱箱体からなり、前面開口部には上下２個の断熱扉３４が幅方向の一端側を軸として回動可能に支持されている。
【００２３】
貯蔵室３３の内部には、長方形の隅の位置に４本の棚柱３５が取り付けられている。棚柱３５には、複数の棚網３７が上下方向に一定間隔を開けて棚受金に支持されており、各棚網３７の上方に、貯蔵物を収納する収納スペースを形成している。前面開口部の周縁には、結露防止ヒータ（図示しない）が埋設されている。貯蔵室３３には、例えば、薬品を貯蔵することができ、例えば、＋５℃に維持される。
機械室１１の前面を構成するフロントパネル１１Ａは、上端部を軸として回動可能となっており、フロントパネル１１Ａを開放すると、図４に示すように、ユーザが操作可能な操作部４１が表れる。操作部４１は、コントロールボックス３８及び電装箱４６の前面に設けられている。コントロールボックス３８には、操作用基板及び制御回路３９が収容されている。電装箱４６には、回路基板に実装されたリレーやブザー５３等が収容されている。
【００２４】
操作部４１は、コントロールボックス３８の前面に設けられたコントロールパネル４０と、電装箱４６の前面におけるコントロールボックス３８よりも上方に設けられて前方から操作可能とされた電源スイッチ４８（漏電遮断器）及び運転スイッチ４９とを有する。コントロールパネル４０は、設定部４１Ａと、表示部４６Ａ，４６Ｂとを備える。設定部４１Ａは、前面枠ヒータボタン４２と、リセットボタン４３と、手動霜取ボタン４４とを有する。
【００２５】
前面枠ヒータボタン４２は、前面枠ヒータの強弱に応じて点灯と消灯を切り替える。リセットボタン４３は、エラー表示の解除や、ブザー音の解除を行う。手動霜取ボタン４４は、ユーザが任意のタイミングで霜取りを行う際に用いる。
コントロールパネル４０の底面には、蓄冷剤冷却スイッチ４５が設けられている。
蓄冷剤冷却スイッチ４５は、コントロールパネル４０の底面側に突き出た側を押してシーソー状にオンオフを切り替え可能とされており、「切」で後述する冷却運転モードとされて冷却装置による冷却を行い、「入」で蓄冷剤運転モードとされて冷却装置が停止して蓄冷剤３０による貯蔵物の冷却を開始する。
【００２６】
この蓄冷剤冷却スイッチ４５の状態（切替）の情報は制御部３９Ａに与えられ、制御部３９Ａは、「入」のときには、蓄冷剤運転モードとし、「切」のときには、冷却運転モードとする。表示部４６Ａは、停電表示、蓄冷剤冷却表示、霜取表示等を行い、表示部４６Ｂは、貯蔵室温度表示を行う。なお、表示部４６Ａ，４６Ｂは、フロントパネル１１Ａを貫通する開口部１１Ｂ（図１参照）の位置に配されてフロントパネル１１Ａを閉じた状態でも外部から視認可能とされている。
運転スイッチ４９は、停電等による外部電源の遮断時に冷却貯蔵庫１０内に設けられた乾電池等からなる蓄電池（図示しない）からの電力供給を遮断可能になっており、運転スイッチ４９をオフすると、蓄電池からの電力の供給が遮断され、貯蔵室冷却ファン２８等が停止される。また、冷却貯蔵庫１０の運転も停止する。
【００２７】
次に、冷却貯蔵庫１０の電気的構成について説明する。
図５に示すように、冷却貯蔵庫１０は、外部の電源Ｅに、制御回路３９、圧縮機１３、及び、除霜ヒータ２２が並列に接続されている。制御回路３９には、貯蔵室冷却ファン２８が接続されている。また、貯蔵室冷却ファン２８、圧縮機１３、及び、除霜ヒータ２２には、それぞれ通断電するための接点部６０Ｂ，６１Ｂ，６２Ｂが直列に接続されている。接点部６０Ｂ，６１Ｂ，６２Ｂは、制御回路３９に接続されたコイル６０Ａ，６１Ａ，６２Ａとともに、リレー６０，６１，６２に備えられている。圧縮機１３には、凝縮器ファン１５が並列に接続されている。図５では、電源スイッチ４８や運転スイッチ４９等は省略されている。
【００２８】
なお、圧縮機１３及び除霜ヒータ２２、制御回路３９には、電源Ｅから単相交流の１００［Ｖ］が供給され、制御回路３９では更に図示しない整流回路で直流に変換された電流が供給されており、貯蔵室冷却ファン２８に供給される。制御回路３９（制御基板）は、回路基板と、この回路基板に実装された複数の電子部品とから構成され、所定のプログラムを実行するマイクロコンピュータ等の制御部３９Ａを有する。
【００２９】
制御部３９Ａには、図６に示すように、入力側に設定部４１Ａ，運転スイッチ４９，サーミスタ５０（蓄冷剤室庫内サーミスタ５０Ａ，貯蔵室庫内サーミスタ５０Ｂ，周囲温度サーミスタ５０Ｃ，霜取りサーミスタ５０Ｄ），扉開閉センサ５６，タイマ５８等が接続されている。出力側には、圧縮機１３，凝縮器ファン１５，貯蔵室冷却ファン２８，除霜ヒータ２２，表示部４６Ａ，４６Ｂ，庫内灯５１，ドレン蒸発装置５２，ブザー５３等が接続されている。タイマ５８は、例えば、コントロールボックス３８内の操作用基板や制御基板等に実装されているが、これに限らず、制御部３９Ａに備えられたタイマにより時間を計測してもよい。
【００３０】
制御部３９Ａは、冷却装置制御部５４と、霜取制御部５５と、記憶部５７とを有する。冷却装置制御部５４は、冷却装置の運転を制御する。冷却運転モードでは、冷却装置制御部５４によって、圧縮機１３と凝縮器ファン１５と貯蔵室冷却ファン２８が制御され、設定温度近傍に貯蔵室３３内の温度が維持される。霜取制御部５５は、除霜ヒータ２２のオンオフを制御しており、霜取開始時刻となると、除霜ヒータ２２をオンにする。霜取制御部５５は、冷却器１６の除霜が終了した等の霜取終了条件が満たされると、除霜ヒータ２２をオフにする。なお、表示部４６Ａ，４６Ｂ、庫内灯５１、ドレン蒸発装置５２等は、冷却装置に関連して動作する冷却関連装置の一例である。
制御部３９Ａは、蓄冷剤冷却スイッチ４５のオンオフの情報に応じて冷却装置を動作させて蓄冷剤３０及び貯蔵物を冷却する冷却運転を行う冷却運転モードと、冷却装置を停止させ、蓄冷剤３０の冷気で貯蔵物を冷却する蓄冷剤運転モードとを切り替える。
【００３１】
次に、冷却貯蔵庫１０の制御について説明する。
図７，図８に示すように、電源スイッチ４８及び運転スイッチ４９がオンしている状態で（Ｓ１１で「Ｙ」，Ｓ１２で「Ｙ」）、蓄冷剤冷却スイッチ４５が「切」とされると（蓄冷剤冷却スイッチがオフ。Ｓ１３で「Ｎ」）、冷却運転モードとされ、冷却運転が行われる（Ｓ１４）。
【００３２】
冷却運転モードでは、制御部３９Ａは、（冷凍ユニット１２）圧縮機１３及び凝縮器ファン１５を駆動させるとともに、貯蔵室冷却ファン２８をオンオフを制御して冷却運転が行われる。また、表示部４６Ｂには貯蔵室温度表示がされる。
一方、Ｓ１３にて蓄冷剤冷却スイッチ４５が「入」とされていると（蓄冷剤冷却スイッチオン。Ｓ１３で「Ｙ」）、制御部３９Ａは、冷却運転モードから蓄冷剤運転モードに切り替え（蓄冷剤冷却スイッチ４５及び制御部３９Ａが「切替手段」の一例）、蓄冷剤運転が行われる。
【００３３】
蓄冷剤運転モードでは、制御部３９Ａは、冷凍ユニット１２（圧縮機１３及び凝縮器ファン１５）は駆動させず、貯蔵室冷却ファン２８をオン状態として動作させる蓄冷剤運転が行われる。この蓄冷剤運転では、表示部４６Ｂの貯蔵室温度表示だけでなく、表示部４６Ａに蓄冷剤運転が行われていること（蓄冷剤運転モードであること）を示す蓄冷剤運転表示も行われる（Ｓ１６）。このように、表示部４６Ａに蓄冷剤運転であることが視認できる蓄冷剤運転表示がされることで、蓄冷剤運転モードにあること（蓄冷剤運転をしていること）をユーザに知らせることができるとともに、蓄冷剤運転モードでも表示部４６Ｂに貯蔵室温度表示を行うことで、蓄冷剤運転時にも貯蔵室の温度管理を行うことができる。
【００３４】
なお、冷却運転モード及び蓄冷剤運転モードのいずれの状態においても（電源スイッチ４８及び運転スイッチ４９がオンされていれば）、制御部３９Ａは、扉の開閉を扉開閉センサ５６からの検知信号により検知したときには、貯蔵室３３内を見やすくするために庫内灯５１を点灯させる。また、冷却運転モード及び蓄冷剤運転モードのいずれの状態においても、制御部３９Ａは、ドレン蒸発装置５２を稼働させてドレンパン内に溜まっている排水を蒸発させてドレンパン内の排水が溢れることを防止する。
【００３５】
本実施形態によれば、以下の作用・効果を奏する。
冷却貯蔵庫１０は、外部から電力の供給を受ける冷却貯蔵庫１０であって、冷気を発生する冷却装置と、蓄冷剤３０が収納され冷却装置からの冷気が導入される蓄冷剤室２４と、蓄冷剤室２４とは異なる位置に設けられ、冷却される貯蔵物が貯蔵される貯蔵室３３と、蓄冷剤室２４の冷気を貯蔵室３３に送出する貯蔵室冷却ファン２８（送出手段）と、蓄冷剤室２４に収納された蓄冷剤３０を冷却装置によって冷却状態としつつ蓄冷剤室２４の冷気を送出して貯蔵室３３に貯蔵された貯蔵物を冷却する冷却運転を行う冷却運転モードと、冷却装置は停止状態とし、蓄冷剤室２４の冷気を貯蔵室３３に送出して貯蔵物を冷却する蓄冷剤運転を行う蓄冷剤運転モードとを切り替える蓄冷剤冷却スイッチ４５（切替手段）及び制御部３９Ａ（切替手段）とを備える。
【００３６】
本実施形態によれば、冷却運転モードと蓄冷剤運転モードとを切り替える蓄冷剤冷却スイッチ４５（切替手段）及び制御部３９Ａ（切替手段）を備えているため、電力需要のピーク時に蓄冷剤運転モードとして電力需要のピーク時の消費電力を低減させることができる。
【００３７】
また、蓄冷剤運転モードでも、電源からの給電状態は維持されているから、蓄冷剤運転モードのときに冷却貯蔵庫１０における冷却装置以外の装置（各種表示や、庫内ランプ等）を動作させることができる。
また、制御部３９Ａ（切替手段）による冷却運転モードと蓄冷剤運転モードの切替は、ユーザの操作部４１の蓄冷剤冷却スイッチ４５への操作によって行われる。
【００３８】
さらに、冷却装置に関連して動作する冷却関連装置を備え、蓄冷剤運転モードのときに冷却関連装置が動作するように制御する制御部３９Ａ（制御手段）を備える。このようにすれば、蓄冷剤運転モードの場合も冷却関連装置を動作させることができ、ユーザは、通常の冷却運転時と同様の取り扱いを行うことができる。
【００３９】
具体的には、制御部３９Ａは、冷却関連装置としての表示部４６Ａ，４６Ｂを動作させることで、貯蔵室３３の温度表示、運転状態の表示等を行うことができ、また冷却関連装置としての庫内灯５１を点灯させることにより、庫内灯５１が点灯しないことによる作業性の低下を防止したり、さらに、冷却関連装置としてのドレン蒸発装置５２を機能させて、ドレンの溢れを防止する等が可能となる。これにより、ユーザは、蓄冷剤運転モードのときにも冷却運転モードと同様の認識で作業を行うことが可能になる。
【００４０】
＜実施形態２＞
次に、実施形態２を図９，図１０を参照しつつ説明する。実施形態２は、蓄冷剤運転モード（蓄冷剤運転）が終了したことを報知する構成を備えるものである。他の構成は、実施形態１と同様であり、実施形態１と同一の構成は、説明を省略する。
【００４１】
タイマ５８（蓄冷剤冷却運転タイマ）は、蓄冷剤運転の時間を計測する。
制御部３９Ａは、図９，図１０に示すように、冷却運転モードにあるときに蓄冷剤冷却スイッチ４５が「入」とされると（蓄冷剤冷却スイッチオン。Ｓ２１で「Ｙ」）、蓄冷剤運転モードに切り替わり蓄冷剤運転を開始させるとともに、タイマ５８（蓄冷剤冷却運転タイマ）により経過時間の計測を開始する（Ｓ２２）。蓄冷剤運転を開始してから所定時間（蓄冷剤冷却運転時間）に達すると（Ｓ２３で「Ｙ」）、蓄冷剤運転を終了する（Ｓ２４）。このとき、貯蔵室冷却ファン２８は蓄冷剤冷却スイッチ４５をオフするまでオン状態として駆動させておく。蓄冷剤冷却スイッチ４５をオフするまで貯蔵室冷却ファン２８のみを駆動し続けることで、蓄冷剤冷却スイッチ４５を戻すことを忘れた場合に少しでも貯蔵室３３内の温度上昇を抑えることが可能になる。また、表示部４６Ａ，４６Ｂの蓄冷剤運転表示及び貯蔵室温度表示は蓄冷剤運転の終了により共に消灯させる（Ｓ２５）。
【００４２】
表示部４６Ａ，４６Ｂの蓄冷剤運転表示及び貯蔵室温度表示が消灯したことにより、ユーザは、蓄冷剤３０が解凍して蓄冷剤３０による冷却が終了し、貯蔵室３３を所定温度に維持できなくなったことを知ることができる。これにより、ユーザに貯蔵室３３内の貯蔵物の移動等の対応や、冷却運転モードへの切替を促すことができる。よって、制御部３９Ａ及び表示部４６Ａ，４６Ｂが蓄冷剤３０による冷却の終了を報知する報知手段となる。
実施形態２によれば、蓄冷剤３０による冷却の終了を報知する制御部３９Ａ及び表示部４６Ａ，４６Ｂ（報知手段）を備えるため、貯蔵室３３を所定温度に維持できなくなったことをユーザが知ることができる。
【００４３】
＜実施形態３＞
次に、実施形態３を図１１，図１２を参照しつつ説明する。実施形態３は、蓄冷剤運転時に所定時間経過又は庫内サーミスタが所定温度以上となると蓄冷剤３０の解凍が進んでいるとして蓄冷剤運転を終了させて冷凍ユニット１２での冷却運転を行うものである。他の構成は、上記実施形態と同一であるため、説明を省略する。
【００４４】
タイマ５８（蓄冷剤冷却運転タイマ）は、蓄冷剤運転の時間を計測する。
制御部３９Ａは、図１１，図１２に示すように、冷却運転モードにあるときに蓄冷剤冷却スイッチ４５が「入」とされると（蓄冷剤冷却スイッチオン。Ｓ３１で「Ｙ」）、蓄冷剤運転モードに切り替え、蓄冷剤運転を開始させるとともに、タイマ５８により蓄冷剤運転を開始してからの経過時間の計測を開始する（Ｓ３２）。
【００４５】
次に、制御部３９Ａは、蓄冷剤冷却運転タイマ５８の計測した時間が所定時間（蓄冷剤冷却運転時間）、又は、貯蔵庫内サーミスタ５０Ｂが所定温度（蓄冷剤冷却運転終了温度）以上であることを検知すると（Ｓ３３で「Ｙ」）、冷却運転モードに切り替えて冷却運転が行われる（Ｓ３４）。したがって、タイマ５８又は貯蔵庫内サーミスタ５０Ｂが蓄冷剤３０による冷却の終了を検出するための検出手段とされる。
ここで、本実施形態では蓄冷剤冷却運転時間や蓄冷剤冷却運転終了温度は、蓄冷剤３０の解凍が進んでいると判断できる時間や温度が予め設定されているが、蓄冷剤冷却運転時間や蓄冷剤冷却運転終了温度をユーザが適宜設定することも可能である。
【００４６】
実施形態３によれば、蓄冷剤３０による冷却の終了を検出するためのタイマ５８（蓄冷剤冷却運転タイマ）又は貯蔵庫内サーミスタ５０Ｂ（検出手段）を備え、制御部３９Ａはタイマ５８又は貯蔵庫内サーミスタ５０Ｂ（検出手段）からの検知結果に応じて蓄冷剤運転モードを冷却運転モードに切り替える。
このようにすれば、蓄冷剤運転時に蓄冷剤３０の解凍が進んで貯蔵室３３を所定温度に維持できなくなるときには、自動で冷却運転に切り替えることが可能になる。
【００４７】
また、扉開閉等による急な貯蔵室３３の温度上昇で貯蔵物が劣化することを防止できる。さらに、蓄冷剤運転が自動で終了することで、ユーザの手動操作が不要になる。なお、本実施形態では、蓄冷剤冷却運転時間、又は、蓄冷剤冷却運転終了温度に達したことを検知すると冷却運転モードに切り替えたが、蓄冷剤冷却運転時間、かつ、蓄冷剤冷却運転終了温度に達したことを検知すると冷却運転モードに切り替えるようにしてもよい。
【００４８】
＜実施形態４＞
次に、実施形態４を図１３，図１４を参照しつつ説明する。実施形態４は、冷却運転時の冷却が上記実施形態と異なる。上記実施形態と同一の構成は、説明を省略する。
蓄冷剤室２４の温度は、蓄冷剤室庫内サーミスタ５０Ａにより検知され、貯蔵室３３の温度は、貯蔵室庫内サーミスタ５０Ｂで検知され、冷却貯蔵庫の外側の周囲温度は、周囲温度サーミスタ５０Ｃで検知されている。
本実施形態の冷却運転モードにおける冷却運転では、蓄冷剤３０を凍結させるように冷凍ユニット１２及び蓄冷剤室冷却ファン２１を制御（蓄冷剤室冷却ファン２１は高速回転や低速回転を行う）する蓄冷剤凍結運転と、蓄冷剤３０が凍結後に蓄冷剤３０が解凍しない温度で冷却する蓄冷剤保冷運転が行われる。
【００４９】
制御部３９Ａは、冷却運転モードにおける冷却運転が開始されると、蓄冷剤凍結運転を行うとともにタイマ５８（蓄冷剤凍結運転タイマ）により経過時間の計測を開始する（Ｓ４１）。また、蓄冷剤室庫内サーミスタ５０Ａの検知結果に応じて、冷凍ユニット１２及び蓄冷剤室冷却ファン２１を制御して蓄冷剤室２４を所定温度に保つ。また、貯蔵室庫内サーミスタ５０Ｂ（「貯蔵室温度検知手段」の一例）の検知結果により、貯蔵室冷却ファン２８をオンオフを制御して貯蔵室３３を所定温度に維持する。
そして、タイマ５８により蓄冷剤凍結運転を開始してから所定時間が経過したことを検知する（Ｓ４２で「Ｙ」）、蓄冷剤凍結運転を終了させ、蓄冷剤保冷運転に切り替える。
【００５０】
蓄冷剤保冷運転では、蓄冷剤室２４の設定温度が蓄冷剤凍結運転時の設定温度よりも高く、蓄冷剤３０の解凍温度よりも低い温度に設定される（Ｓ４３）。これにより、蓄冷剤室庫内サーミスタ５０Ａによる温度検知に応じて、冷凍ユニット１２をオンオフ運転して蓄冷剤室２４の温度が蓄冷剤凍結運転時よりも高い所定温度内に保たれる。貯蔵室３３は、蓄冷剤凍結運転時と同様に貯蔵室庫内サーミスタ５０Ｂによる温度検知により、貯蔵室冷却ファン２８をオンオフさせて貯蔵室３３が所定温度に維持される。
【００５１】
実施形態４では、冷却運転モードにおける冷却運転では、蓄冷剤３０を凍結させる蓄冷剤凍結運転と蓄冷剤３０を凍結させず解凍させない温度で保冷する蓄冷剤保冷運転を行うものであり、蓄冷剤保冷運転では、蓄冷剤室２４の設定温度が蓄冷剤凍結運転時の設定温度よりも高く、蓄冷剤３０の解凍温度よりも低い温度に設定される。このようにすれば、蓄冷剤運転時の蓄冷剤室２４は、蓄冷剤３０の解凍温度よりも若干低い温度に保たれて蓄冷剤３０を解凍させずに、冷凍ユニット１２の運転率を低くすることができる。また、蓄冷剤室２４から貯蔵室３３に吐き出される冷気は、凍結運転時よりも高い温度となるため、貯蔵室３３内の温度が下がりすぎることなく、貯蔵物の凍結を防止することができる。
【００５２】
また、本実施形態では、上記に加えて、周囲温度に応じて蓄冷剤室冷却ファン２１の回転数を制御する構成を備えている（図１４参照）。
具体的には、周囲温度サーミスタ５０Ｃにより、周囲温度が所定以上の場合に、蓄冷剤室冷却ファン２１を高速回転させて蓄冷剤３０の凍結を蓄冷剤凍結運転時間内に完了させる。
【００５３】
本実施形態の冷却貯蔵庫は、冷却装置による冷気を蓄冷剤室２４に送出する蓄冷剤室冷却ファン２１と、周囲温度を検知する周囲温度サーミスタ５０Ｃ（周囲温度検知手段）とを備え、制御部３９Ａ（回転数制御手段）は、周囲温度サーミスタ５０Ｃが検知した周囲温度に応じて蓄冷剤室冷却ファン２１の回転数を制御する。
【００５４】
周囲温度が高い場合には、貯蔵庫への外気から侵入する熱量が多いため、蓄冷剤室冷却ファン２１が高速回転のために貯蔵室冷却ファン２８がオフのときに貯蔵室冷却ファン２８内の隙間から蓄冷剤室２４の冷気が多く貯蔵室３３内に流れ込んできても、貯蔵室３３内の温度は所定温度よりも下がりすぎることがない。
【００５５】
逆に、周囲温度が低い場合には、蓄冷剤室冷却ファン２１を低速回転させることで、貯蔵室冷却ファン２８がオフのときに蓄冷剤室２４から貯蔵室３３内に流れ込む冷気の量を低減させて貯蔵室３３内の温度を所定温度よりも下がりすぎないようにすることができる。また、周囲温度が低い場合には、貯蔵庫へ外気から侵入する熱量が少ないため、蓄冷剤室冷却ファン２１が低速回転であっても、蓄冷剤３０の凍結を蓄冷剤凍結運転時間内に終了させることができる。
【００５６】
＜実施形態５＞
次に、実施形態５を図１５，図１６を参照しつつ説明する。実施形態５は、霜取りサーミスタ５０Ｄが検知した温度に応じて霜取り運転の可否を判断するものである。他の構成は、上記実施形態と同一であり、上記実施形態と同一の構成は、説明を省略する。
除霜ヒータ２２の近傍には、温度を検知する霜取りサーミスタ５０Ｄ（「除霜温度検知手段」の一例）が備えられている。
【００５７】
蓄冷剤凍結運転の開始時（電源スイッチ４８及び運転スイッチ４９をオンして冷却運転を開始するか、又は、蓄冷剤運転が終了時）には、霜取りサーミスタ５０Ｄの検知結果が所定温度以上か否かを判断する（Ｓ５１）。
この「所定温度」は、冷却器１６に霜が付着してるか否かを判断できる値が予め設定されているが、ユーザにより任意に設定できるようにしてもよい。
そして、霜取りサーミスタ５０Ｄの検知結果が所定温度以上の場合には（Ｓ５１で「Ｙ」）、冷却器１６に霜が付着していない可能性が高いため蓄冷剤凍結運転を開始する（Ｓ５２）。
一方、霜取りサーミスタ５０Ｄの検知結果が所定温度以下の場合には（Ｓ５１で「Ｎ」）、冷却器１６に霜が付着している可能性が高いため霜取り運転を開始する（Ｓ５３）。霜取り運転が終了すると、蓄冷剤凍結運転を開始する（Ｓ５２）。
【００５８】
本実施形態によれば、除霜ヒータ２２と、除霜ヒータ２２の温度を検知する霜取りサーミスタ５０Ｄ（除霜温度検知手段）と、を備え、冷却運転モードにおける冷却運転では、蓄冷剤３０を凍結させる蓄冷剤凍結運転と蓄冷剤３０を凍結させず解凍させない温度で保冷する蓄冷剤保冷運転を行うものであり、霜取りサーミスタ５０Ｄが検知した温度が所定温度以下であるときには、霜取り運転を行った後に蓄冷剤凍結運転を行い、霜取りサーミスタ５０Ｄが検知した温度が所定温度以上であるときには、霜取り運転を行わずに蓄冷剤凍結運転を行う。
このようにすれば、蓄冷剤凍結運転の開始前に冷却器１６に霜が付着しているかどうかを毎回判断し、冷却器１６に霜が付着していると予想される場合にのみ霜取り運転を行うことで、冷却器１６と蓄冷剤３０内の空気との熱交換効率を良くして蓄冷剤凍結運転時に蓄冷剤３０の凍結を毎回確実に、しかも短時間で行うことができる。
【００５９】
また、蓄冷剤凍結運転時の冷凍ユニット１２の運転率を低下させたり、運転時間を短縮することで省エネとなる。さらに、蓄冷剤３０の凍結と同時に貯蔵室３３も冷却する場合には、貯蔵室３３の設定温度を保つことができるため、温度上昇による貯蔵物の劣化を抑制できる。また、冷却器１６に霜が付着していないと予想される場合にすぐに蓄冷剤凍結運転を開始できるため、必ず霜取り運転を行う場合と比較して、消費電力を低減でき、かつ、蓄冷剤３０を凍結させる時間を短縮することができる。
【００６０】
＜実施形態６＞
次に、実施形態６を図１７を参照しつつ説明する。実施形態６は、実施形態５に対して、蓄冷剤３０の凍結運転時は、手動霜取ボタン４４（操作部４１）を無効とし、蓄冷剤保冷運転時には、手動霜取ボタン４４を有効をするものである。他の構成は、実施形態１と同一であり、実施形態１と同一の構成は、説明を省略する。
【００６１】
操作パネルの手動霜取ボタン４４は、コントロールボックス３８の制御基板に実装されている。蓄冷剤凍結運転の際には、蓄冷剤３０の凍結を優先させるため、手動霜取ボタン４４を押しても霜取り運転には入らない。蓄冷剤保冷運転では、手動霜取ボタン４４を押すと霜取り運転に入る。
【００６２】
本実施形態によれば、除霜ヒータ２２と、ユーザの操作により除霜を開始する操作部４１を備え、冷却運転モードにおける冷却運転では、蓄冷剤３０を凍結させる蓄冷剤凍結運転と蓄冷剤３０を凍結させず解凍させない温度で保冷する蓄冷剤保冷運転を行うものであり、蓄冷剤凍結運転では、操作部４１の除霜を開始する操作を無効とし、蓄冷剤保冷運転では、操作部４１の除霜を開始する操作を有効とする。
これにより、蓄冷剤保冷運転中に冷却器１６に付着する霜を定期的あるいは任意で取り除くことができて、蓄冷剤保冷運転時の冷却器１６と蓄冷剤３０内の空気との熱交換比率を良くする。
【００６３】
＜実施形態７＞
次に、実施形態７を図１８，図１９を参照しつつ説明する。実施形態７は、貯蔵室３３の温度が所定以下になったときに霜取りを行うものである。上記実施形態と同一の構成は、説明を省略する。
制御部３９Ａは、電源スイッチ４８及び運転スイッチ４９をオンして冷却運転を開始すると、蓄冷剤凍結運転を行わせ、蓄冷剤凍結運転の開始から所定時間経過すると蓄冷剤保冷運転に切り替える（Ｓ６１）。
【００６４】
制御部３９Ａは、蓄冷剤保冷運転を開始すると、タイマ５８（霜取りサイクルタイマ）のカウントを開始し（Ｓ６２）、蓄冷剤保冷運転の開始から所定時間経過して、タイマ５８がタイムアップすると（Ｓ６３で「Ｙ」）、霜取りサイクルタイマ５８は、タイムアップと同時にリセットされ、再びカウントを開始する（Ｓ６４）。なお、霜取りサイクルの「所定時間」は、予め設定されているが、ユーザが時間を設定できるようにしてもよい。
そして、霜取りサーミスタ５０Ｄが所定温度以下で（Ｓ６５で「Ｙ」）、かつ、貯蔵室庫内サーミスタ５０Ｂ（「貯蔵室温度検知手段」の一例）が貯蔵室所定温度（設定温度）以下を検知すると（Ｓ６６で「Ｙ」）、霜取り運転を開始する（Ｓ６７。制御部３９Ａが「ヒータ制御手段」の一例））。霜取り運転終了後は、蓄冷剤保冷運転に戻る（Ｓ６８）。
【００６５】
実施形態７では、除霜ヒータ２２と、除霜ヒータ２２を駆動させるまでの時間を計測するタイマ５８と、貯蔵室３３の温度を検知する貯蔵室庫内サーミスタ５０Ｂ（貯蔵室温度検知手段）と、除霜ヒータ２２の駆動を制御する制御部３９Ａ（ヒータ制御手段）と、を備え、制御部３９Ａは、タイマ５８が計測した時間が所定時間以上であり、かつ、貯蔵室庫内サーミスタ５０Ｂで検知した温度が所定の設定温度以下であるときに除霜ヒータ２２を駆動するように制御する。
このようにすれば、タイマ５８の計測時間が所定時間を経ていれば、蓄冷剤室２４が十分に冷えているから、除霜運転中も冷えた冷気を貯蔵室３３に自然対流による冷気の落下によって供給でき、また、除霜の開始時における貯蔵室３３の温度も元々低く留められているから、除霜運転中の貯蔵室３３の温度上昇が抑制され、結果貯蔵物の劣化等が抑制できる。
【００６６】
＜他の実施形態＞
本発明は上記記述及び図面によって説明した実施形態に限定されるものではなく、例えば次のような実施形態も本発明の技術的範囲に含まれる。
（１）上記実施形態では、ユーザの蓄冷剤冷却スイッチ４５の操作により、冷却運転モードと蓄冷剤運転モードが切り替わる構成としたが、これに限られない、例えば、ユーザの操作によらずに、制御部３９Ａが検知した温度や時間等の何らかの状態に応じて冷却運転モードと蓄冷剤運転モードとを切り替えるようにしてもよい。
（２）上記実施形態では、蓄冷剤冷却スイッチ４５を操作すると制御部３９Ａが冷凍ユニット１２や貯蔵室冷却ファン２８等を制御することで冷却運転と蓄冷剤運転とを切り替えたが、これに限られず、蓄冷剤冷却スイッチ４５を操作すると冷凍ユニット１２や貯蔵室冷却ファン２８等を直接オンオフし（冷凍ユニット１２や貯蔵室冷却ファン２８等に電力を供給する経路のリレー等の接点を蓄冷剤冷却スイッチ４５がオンオフする）ことで、冷却運転と蓄冷剤運転とを切り替えるようにしてもよい。
【符号の説明】
【００６７】
１０：冷却貯蔵庫，１１：機械室，１１Ａ：フロントパネル，１２：冷凍ユニット，１３：圧縮機，１４：凝縮器，１５：凝縮器ファン，１６：冷却器，１７：冷却ダクト，２１：蓄冷剤室冷却ファン，２２：除霜ヒータ，２４：蓄冷剤室，２５：断熱壁，２８：貯蔵室冷却ファン（送出手段），３０：蓄冷剤，３３：貯蔵室，３８：コントロールボックス，３９：制御回路，３９Ａ：制御部（切替手段，報知手段，ヒータ制御手段），４０：コントロールパネル，４１：操作部，４１Ａ：設定部，４４：霜取ボタン，４５：蓄冷剤冷却スイッチ（切替手段），４６：電装箱，４６Ａ，４６Ｂ：表示部（報知手段），４６Ｂ：表示部，４８：電源スイッチ，４９：運転スイッチ，５０Ａ：蓄冷剤室庫内サーミスタ（貯蔵室温度検知手段），５０Ｂ：貯蔵室庫内サーミスタ（検出手段），５０Ｃ：周囲温度サーミスタ（周囲温度検知手段），５０Ｄ：霜取りサーミスタ（除霜温度検知手段），５１：庫内灯，５２：ドレン蒸発装置，５３：ブザー，５６：扉開閉センサ，５７：記憶部，５８：タイマ（検出手段）
【図１】
2015098971.tif 000003
【図２】
2015098971.tif 000004
【図３】
2015098971.tif 000005
【図４】
2015098971.tif 000006
【図５】
2015098971.tif 000007
【図６】
2015098971.tif 000008
【図７】
2015098971.tif 000009
【図８】
2015098971.tif 000010
【図９】
2015098971.tif 000011
【図１０】
2015098971.tif 000012
【図１１】
2015098971.tif 000013
【図１２】
2015098971.tif 000014
【図１３】
2015098971.tif 000015
【図１４】
2015098971.tif 000016
【図１５】
2015098971.tif 000017
【図１６】
2015098971.tif 000018
【図１７】
2015098971.tif 000019
【図１８】
2015098971.tif 000020
【図１９】
2015098971.tif 000021